(57)【特許請求の範囲】
【請求項１】
以下の要件を備えることを特徴とする照明装置。
（イ）上記照明装置は、照明部を支持するアームを折り曲げ可能に構成するとともに、該アームの下端を支持する支柱を机や製図台などに固定した装置本体に設けた支持台に回転可能に支持させること
（ロ）上記支柱には該支柱の径よりも大きな径の円形のドラム体を設けたこと
（ハ）上記支持台には上記ドラム体の周面に接触する摩擦部材を固定するとともに、該摩擦部材を上記ドラム体の周面に圧接させる圧接手段を設けたこと
（二）上記圧接手段は略Ｕ字状に湾曲したサドルで構成し、上記ドラム体を上記サドルの湾曲部に係合させるとともに、該ドラム体に上記摩擦部材を圧接した状態でサドルの両端を上記支持台に取り付けたこと」
【発明の詳細な説明】
【技術分野】
【０００１】
本発明は、照明器具、詳しくは、照明部をアームを介して机等に固定した装置本体に設けた支持台に取り付けた照明装置に関するものである。
【背景技術】
【０００２】
従来、傾斜した机等にアーム式電気スタンド本体を固定する支持装置が提案されている（例えば、特許文献１）。この支持装置は、電気スタンド本体の支柱の一端から所定の距離に凸部を設け、支柱が挿入される保持体の内面全周に凹凸を設けたもので、傾斜した机等にアーム式電気スタンドを取り付ける場合には、電気スタンドの支柱を保持体内へ挿入すると、支柱に設けられている凸部である螺子の頭が保持体内部に設けられた凹凸部に嵌合し支柱が回転することはなくなり使用者が所望する位置で固定することができるようにしたものである。
【特許文献１】実開平６−２８９３１号公報
【発明の開示】
【発明が解決しようとする課題】
【０００３】
本発明が解決しようとする問題点は、上述の支持装置は、電気スタンドの向きを変えるときには支柱の凸部と保持体の凹凸部との嵌合を解除するため、一旦支柱を保持体から引き上げて凸部と凹凸部との嵌合を解除してから再度支柱を保持体に差し込まなければならないもので、簡単に向きを変えることができない問題があった。
【０００４】
本発明は、上記問題点を解決し、装置本体を取り付けた場所が水平であろうと傾斜していようと同じ操作で簡単に照明部の向きを変えることができる照明装置を提供することを課題とする。
【課題を解決するための手段】
【０００５】
前記課題を解決するために本発明に係る照明装置は、以下の要件を備えることを特徴と
する。
（イ）上記照明装置は、照明部を支持するアームを折り曲げ可能に構成するとともに、該アームの下端を支持する支柱を机や製図台などに固定した装置本体に設けた支持台に回転可能に支持させること
（ロ）上記支柱には該支柱の径よりも大きな径の円形のドラム体を設けたこと
（ハ）上記支持台には上記ドラム体の周面に接触する摩擦部材を固定するとともに、該摩擦部材を上記ドラム体の周面に圧接させる圧接手段を設けたこと
（二）上記圧接手段は略Ｕ字状に湾曲したサドルで構成し、上記ドラム体を上記サドルの湾曲部に係合させるとともに、該ドラム体に上記摩擦部材を圧接した状態でサドルの両端を上記支持台に取り付けたこと
【発明の効果】
【０００６】
請求項１の発明によれば、照明部を支持するアームの下端にアームの径よりも大きな径のドラム体を設け、このドラム体に圧接手段で摩擦部材を圧接させたので、アームの下端を支持する支持台を設けた装置本体を固定した机や製図台が水平な状態であっても、斜めにした状態であっても、同じ操作でアームを支持台に対して自由に回動させることができ、操作性に優れた照明装置を提供することができる。
【発明を実施するための最良の形態】
【０００７】
図１（ａ）（ｂ）は、本発明に係る照明装置Ａの一例の正面図及び側面図を示し、この照明装置Ａは装置本体１の上面に突出し、回転可能な支柱２が配置され、この支柱２の上端にはヒンジ３を介して前後に回動可能なアーム４ａの下端が取り付けられ、アーム４ａの上端にはヒンジ５を介して上下に回動可能なアーム４ｂの後端が取り付けられ、アーム４はヒンジ５を支点に折り曲げ可能に構成されている。
【０００８】
そして、アーム４の先端には照明部６が取り付けられ、装置本体１の下面には机や図面台等の作業台に固定するクランプ７が取り付けられ、このクランプ７で作業台に固定し、アーム４ａを前後に回動させれば照明部６を前後に、アーム４ｂを左右に回動させれば支柱２が回転して照明部６が左右に向きを変えることができ、装置本体１を作業台に固定した状態で照明部６を上下、前後、左右方向の何れの方向にも移動させることができるようになっているものである。
【０００９】
上記装置本体１の内部には上記支柱２を支持する支持台８が収容されている。この支持台８の内部には、図２に示すように、支柱２の下端に固定されたドラム体１０と、摩擦部材（以下、ドラムシューという）１１と、この摩擦部材１１をドラム体１０の周面に圧接する圧接手段（以下、サドルという）１２とが配置されている。
【００１０】
上記ドラム体１０は中央が上下に貫通して開口するとともに、左右に２分割された左ドラム体１０ａと右ドラム体１０ｂとで構成され、ネジ１３で一体に連結できるようになっている。左ドラム体１０ａはネジ１３を挿通する挿通穴１４が形成され、右ドラム体にはネジ孔１５が形成され左ドラム体１０ａの挿通穴１４に差し込んだネジ１３を、支柱２の下端に形成された貫通孔１６を貫通させて、右ドラム体１０ｂのネジ孔１５にねじ込むことにより左右のドラム体１０ａ、１０ｂと支柱２とが一体化し、支柱２の下端に支柱２の径よりも大きな径のドラム体１０を取り付けることができる。
【００１１】
なお、ドラム体１０の外周面には係合溝１７が形成され、サドル１２がドラム体１０に確実に係合するようになっている。また開口部１８の内周面の下端には支持片１９が内方に張り出して形成され、支柱２をドラム体１０の開口部１８に差し込む際に支柱２がドラム体１０の下部に貫通しないように支持している。
【００１２】
支持台８の上面には支柱２を支持するアームスタンド２０が固定され、支持台８の後部内壁面にはドラムシュー１１がネジ２１で固定されている。このドラムシュー１１（素材としてナイロン材を使用）は前面１１ａがドラム体１０に密着するようにドラム体１０の係合溝１７の径と同じ径に湾曲して形成され、このドラムシュー１１の前面１１ａは圧接手段であるサドル１２で支柱２に圧接させられている。
【００１３】
サドル１２は帯状の金属を略Ｕ字状に湾曲して形成し、両端にはフランジ１２ａ、１２ｂを形成し、サドル１２をドラム体１０の係合溝１７に係合させ、一方のフランジ１２ａをネジ２２で支持台８に固定し、他方のフランジ１２ｂを調整用ネジ２３で支持台８の内壁面に引き寄せることにより、ドラム体１０にドラムシュー１１の前面１１ａを圧接した状態にすることができるようになっている（図３（ａ）（ｂ）参照）。
【００１４】
上記構成の照明装置Ａは作業台Ｂにクランプ７で固定し、図４（ａ）に示すように、照明部６が横を向いた状態で、図４（ｂ）に示すように、作業台Ｂを斜めにすると、照明部６は自重で支柱２を中心に手前側（図面上では左側）に回動する方向に外力が働くが、サドル１２でドラム体１０がドラムシュー１１に圧接させられているので、ドラム体１０とドラムシュー１１との間の摩擦が大きく、照明部６の位置は保持されたままで、手前側に回動するようなことはなく照明装置Ａ全体が作業台Ｂの傾きに応じてそのまま傾くことになる。
【００１５】
また、作業台Ｂが傾いた状態でドラム体１０とドラムシュー１１との間の摩擦よりも大きな力でアーム４を強制的に回動すれば、支持台８に対して支柱２を回転させることができるので照明部６の向きを自由に変えることができ、作業台が水平な状態のときと同じ操作で対応することができ、作業台が水平のときと傾いたときとで異なった操作をする必要がなく操作性の優れた照明装置を実現することができる。
【図面の簡単な説明】
【００１６】
【図１】（ａ）（ｂ）は本発明に係る照明装置の一例を説明する正面図及び側面図
【図２】支持台の構成を説明する分解斜視図
【図３】（ａ）（ｂ）は支持台の構成を説明する横断面図及び縦断面図
【図４】（ａ）（ｂ）は照明装置を固定した作業台が水平な状態と、斜めにした状態の側面図
【符号の説明】
【００１７】
１    装置本体
２    支柱
４    アーム
６    照明部
７    クランプ
８    支持台
１０    ドラム体
１１    摩擦部材（ドラムシュー）
１２    圧接手段（サドル）
【図１】
0004436861.tif 000002
【図２】
0004436861.tif 000003
【図３】
0004436861.tif 000004
【図４】
0004436861.tif 000005